【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
ａ）ポリマー状基材、及び
ｂ）少なくとも一種の式（Ｉ）
Ｒ4Ｒ3Ｒ2Ｃ−Ｚ1−Ｚ2−Ｚ3（Ｒ2）ｒＲ3Ｒ4  （Ｉ）
［式中、
Ｚ1及びＺ2は両方ＮＲ1を表し、Ｚ3はＣ又はＮを表し；
Ｚ3がＮを表す場合、ｒが０を表し、及び
Ｚ3がＣを表す場合、ｒは１を表し；
２つのＲ1は一緒になって結合を形成し、もしくは各々のＲ1は独立してＨを表すか、又は隣接するＣ原子又は、Ｚ3で存在するＲ2と一緒になって結合を形成し；
各々のＲ2は独立して結合を形成し又は以下のＲ3及びＲ4のために定義されるように一価
の基を表し；
各々のＲ3は独立して、及び各々のＲ4は独立して、Ｈ、所望により置換されたアルキル基、１つ以上のＯ、Ｎ及び／又はＳ原子により中断され所望により置換されたアルキル基、所望により置換されたシクロアルキル基、所望により置換されたシクロアルキルアルキル基、所望により置換されたアリール基、所望により置換されたアリールアルキル基、所望により置換されたアルコキシ（アルキル）n基、所望により置換されたアリールオキシ（
アルキル）n基、所望により置換されたアリールアルキルオキシ（アルキル）n基、所望により置換されたアルケニル基、所望により置換されたアルケニルオキシ（アルキル）n基
、所望により置換されたアルキニル基、所望により置換されたアルキニルオキシ（アルキル）n基、Ｎ、Ｏ及びＳから独立して選ばれる１ないし４つのヘテロ原子を有する所望に
より置換されたヘテロシクリル（ｈｅｔｅｒｏｃｙｃｌｙｌ）（Ｏ）S（アルキル）n基；Ｒ−Ｙ−Ｃ（Ｏ）―（アルキル）n基又はＲ−Ｃ（Ｏ）−Ｙ−（アルキル）n基から選ばれる一価の基を表し、式中、各々のＲは独立して上記で定義された通りのＨ、アルキル基、アルケニル基、シクロアルキル基、アリール基又はヘテロシクリル基を表し、これらの基の各々は所望により置換され、ＹはＯないしＮＨを表し；
もしくは上記式（Ｉ）で与えられるようなＣ原子及びＺ3の一つ又は両方で、Ｒ3及びＲ4
はそれらが結合される前記Ｃ原子又は、Ｚ3と一緒になって、所望により置換された、飽
和した、部分飽和した又は芳香族の５ないし２０個の炭素原子及び、所望によりヘテロ環原子の単−又は多環式環系であって、前記所望によるヘテロ環原子がＮ、Ｏ及び／又はＳ
から選ばれるものを形成し；並びにＲ2は上記Ｒ3及びＲ4のために定義された一価の基を
表し、もしくはＣ原子及びＺ1の間又は、Ｚ3及びＺ2の間で結合を形成し、もしくは前記
Ｃ原子又は、Ｚ3及びそれに隣接した環原子間でＲ3及びＲ4により環系において結合を形
成し；
各々のｓ及びｎは独立して０又は１を表し；
もしくはＺ3はＲ2が存在する場合、Ｒ2と、それらに結合するＲ3及びＲ4と一緒になって
、Ｒ’5（［Ｚ1−Ｚ2−Ｒ6−］ｋＺ1−Ｚ2−Ｒ5−Ｈ）t基を形成し、式中、各々のＲ’5
及びＲ5は独立して所望により置換されたアルキレン基、一つ以上のＮ、Ｏ及び／又はＳ
により中断された所望により置換されたアルキレン基、所望により置換されたシクロアルキレン基、所望により置換されたシクロアルキレンアルキレン基、所望により置換されたシクロアルキレンアルキレンシクロアルキレン基、所望により置換されたアリーレン基、所望により置換されたアリーレンアルキレン基、所望により置換されたアリーレンアルキレンアリーレン基、所望により置換されたヘテロシクリレン（ｈｅｔｅｒｏｃｙｃｌｙｌｅｎｅ）基、所望により置換されたヘテロシクリレンアルキレン（ｈｅｔｅｒｏｃｙｃｌｙｌｅｎｅａｌｋｙｌｅｎｅ）基又は所望により置換されたヘテロシクリレンアルキレンヘテロシクリレン（ｈｅｔｅｒｏｃｙｃｌｙｌｅｎｅａｌｋｙｌｅｎｅｈｅｔｅｒｏｃｙｃｌｙｌｅｎｅ）基を表し、各々のＲ6は独立して上記Ｒ’5及びＲ5に与えられた意味を
有し、Ｚ1及びＺ2は互いに独立して上記で定義された通りであり、ｔは１ないし３を表し、及びｋは結果として生じる式（Ｉ）で表される化合物の分子量が２００ないし１００００ｇ／ｍｏｌ以内になるように選ばれ；
もしくはＺ3はＲ2が存在する場合、Ｒ2と、それらに結合するＲ3及びＲ4と一緒になって
、ポリマーの反復構造単位を示すＲ2Ｒ3Ｒ4Ｃ−Ｚ1−Ｚ2−Ｒ8−［Ｕ］xを形成するため
の結合基−Ｒ8−を表し、式中、Ｒ8は結合又はアルキレン基、シクロアルキレン基、ヘテロシクリレン基又はアリーレン基を表し；
Ｕは
【化１】
2007507571.tif 000001
、又は
【化２】
2007507571.tif 000002
を表し、
Ｒ’はＨ又はアルキル基を表し、及びｘは２ないし５００を表し］；
又は上記式（Ｉ）で与えられた通りの２つのＲ3は、−（Ｒ2Ｒ4）Ｃ−Ｚ1−Ｚ2−Ｚ3（（Ｒ2）ｒＲ4）−部分と一緒になって所望により置換した、飽和した、部分的に飽和した又は芳香族の、５ないし２０個の炭素原子及び所望により更なるヘテロ環原子からなる単−又は多環式環系を形成し、該更なるヘテロ環原子がＮ、Ｏ及び／又はＳのうちの１種ないし２種から選ばれ；及び、式中、Ｚ1ないしＺ3、ｒ及びＲ2ないしＲ4は上記で定義された通りである］で表される化合物；並びにＺ1ないしＺ3としてのＮのオキシド、それらの塩、エステル又はアミド、又は上記で定義された通りの式（Ｉ）で表される化合物の２種以上の混合物であるが；
但し、上記式（Ｉ）で表される化合物において、上記式（Ｉ）に記載されたＣ原子及びＺ3のうち少なくとも１つで、Ｒ3及びＲ4は独立してＨ以外を表し及びＲ2はＨ又は結合を表し；
さらに、式（Ｉ）の化合物が式（１００）
Ｒ4Ｒ3Ｃ＝Ｎ−ＮＲ1−ＣＲ2Ｒ3Ｒ4  （１００）
で表される化合物である場合、ポリマー状基材（ａ）は芳香族アルケニルホモ又はコポリマーではないところのものを含む難燃性組成物。
【請求項２】
更なる難燃剤（ｃ）を含む請求項１記載の難燃性組成物。
【請求項３】
（ａ）ポリマー状基材、及び
（ｂ）式（Ｉ’）で表される化合物
Ｒ4Ｒ3Ｒ2Ｃ−Ｚ1−Ｚ2−Ｚ3（Ｒ2）ｒＲ3Ｒ4  （Ｉ’）
［式中、Ｚ1及びＺ2は両方ＮＲ1を表し並びにＺ3はＣ又はＮを表し；Ｚ3がＮの場合、ｒ
は０を表し、Ｚ3がＣの場合、ｒは１を表し；
２つのＲ1は一緒になって結合を形成し又はＲ1は独立してＨを表し又は隣接するＣ原子又は、Ｚ3で存在するＲ2と一緒になって結合を形成し；
各々のＲ2は独立して結合を形成し又は以下でＲ3及びＲ4のために定義する通りの一価の
基を表し；
各々のＲ3は独立して及び各々のＲ4は独立してＨ、所望により置換されたアルキル基、一つ以上のＯ、Ｎ及び／又はＳ原子により中断された所望により置換されたアルキル基、所望により置換されたシクロアルキル基、所望により置換されたシクロアルキルアルキル基、所望により置換されたアリール基、所望により置換されたアリールアルキル基、所望により置換されたアルコキシ（アルキル）n基、所望により置換されたアリールオキシ（ア
ルキル）n基、所望により置換されたアリールアルキルオキシ（アルキル）n基、所望により置換されたアルケニル基、所望により置換されたアルケニルオキシ（アルキル）n基、
所望により置換されたアルキニル基、所望により置換されたアルキニルオキシ（アルキル）n基、Ｎ、Ｏ及びＳから独立して選ばれる１ないし４個のヘテロ原子を有する所望によ
り置換されたヘテロシクリル（Ｏ）s（アルキル）n基；Ｒ−Ｙ−Ｃ（Ｏ）−（アルキル）n又はＲ−Ｃ（Ｏ）−Ｙ−（アルキル）nから選ばれる一価の基を表し、式中、各々のＲは独立して上記で定義した通りの、各々所望により置換されたＨ、アルキル基、アルケニル基、シクロアルキル基、アリール基又はヘテロシクリル基を表し、ＹはＯ又はＮＨを表し；各々のｓ及びｎは独立して０ないし１を表し、；
又は上記式（Ｉ）で与えられているようにＣ原子及びＺ3の１つ又は両方で、Ｒ3及びＲ4
はそれらが結合する前記Ｃ原子又は、Ｚ3と一緒になって、所望により置換した、飽和し
た、部分的に飽和した又は芳香族の、５ないし２０個のＣ原子及び、所望によりヘテロ環原子からなる単−又は多環式系を形成し、前記所望によるヘテロ環原子がＮ、Ｏ及び／又はＳから選ばれ；並びにＲ2は上記でＲ3及びＲ4に対し定義された通りの一価の基を表し
、もしくはＣ原子とＺ1間、又は、Ｚ3とＺ2間で結合を形成し、もしくは前記Ｃ原子又は
、Ｚ3とそこに隣接する環原子間でＲ3及びＲ4により形成される環系において結合を形成
し；
又はＺ3はＲ2が存在する場合、Ｒ2とそれに結合するＲ3及びＲ4と一緒になって、Ｒ’5（［Ｚ1−Ｚ2−Ｚ6−］kＺ1−Ｚ2−Ｒ5−Ｈ）t基を形成し、式中、各々のＲ’5及びＲ5は独立して所望により置換したアルキレン基、１つ以上のＮ、Ｏ及び／又はＳにより中断された所望により置換したアルキレン基、所望により置換したシクロアルキレン基、所望により置換したシクロアルキレンアルキレン基、所望により置換したシクロアルキレンアルキレンシクロアルキレン基、所望により置換したアリーレン基、所望により置換したアリーレンアルキレン基、所望により置換したアリーレンアルキレンアリーレン基、所望により置換したヘテロシクリレン基、所望により置換したヘテロシクリレンアルキレン基又は所望により置換したヘテロシクリレンアルキレンヘテロシクリレン基を表し、各々のＲ6は
独立して上記でＲ’5及びＲ5に対し与えた通りの意味を有し、Ｚ1及びＺ2は互いに独立して上記で定義された通りであり、ｔは１ないし３を表し、及びｋは結果として生じる式（Ｉ）で表される化合物の分子量が２００ないし１００００ｇ／ｍｏｌ以内になるように選ばれ；
又はＺ3はＲ2が存在する場合、Ｒ2とそれに結合するＲ3及びＲ4と一緒になって、ポリマ
ーの反復構造単位を示すＲ2Ｒ3Ｒ4Ｃ−Ｚ1−Ｚ2−Ｒ8−［Ｕ］xを形成するために結合基
−
Ｒ8−を表し、式中、Ｒ8は結合又はアルキレン基、シクロアルキレン基、ヘテロシクリレン基又はアリーレン基を表し；
Ｕは
【化３】
2007507571.tif 000003
、又は
【化４】
2007507571.tif 000004
を表し；Ｒ’はＨ又はアルキル基を表しｘは２ないし５００を表し；
又は上記式（Ｉ）で与えられた通りの２つのＲ3は、−（Ｒ2Ｒ4）Ｃ−Ｚ1−Ｚ2−Ｚ3（（Ｒ2）rＲ4）部分と一緒になって所望により置換した、飽和した、部分的に飽和した又は
芳香族の、５ないし２０個の炭素原子及び、更なるヘテロ環原子からなる単−又は多環式環系を形成し、該更なるヘテロ環原子がＮ、Ｏ及び／又はＳのうち１種又は２種から選ばれ；並びにＺ1ないしＺ3、ｒ及びＲ2ないしＲ4は上記で定義された通りである。］で表される化合物、；
並びにＺ1ないしＺ3としてのＮのオキシド、それらのエステル又はアミド、又は上記で定義された式（Ｉ’）で表される化合物２種以上の混合物；を含む難燃性組成物であって、但し、前記組成物がハロゲン化難燃剤化合物を含有しない難燃性組成物。
【請求項４】
前記式（Ｉ’）で表される化合物以外の少なくとも１種の更なる難燃剤を含むが、但し更なる難燃剤がハロゲン化難燃剤化合物以外である請求項３に記載の難燃性組成物。
【請求項５】
少なくとも一種の更なる添加剤を含む請求項１、２、３又は４に記載の組成物。
【請求項６】
前記更なる添加剤としてフェノール及び／又はアミン酸化防止剤、ヒンダードアミン光安定剤、紫外線吸収剤、ホスフィット、ホスホニット、ベンゾフラノン、金属ステアレート、金属酸化物、顔料、染料、有機リン化合物、ヒドロキシルアミン又は難燃剤又はそれらの混合物を含む請求項５に記載の組成物。
【請求項７】
請求項１に定義された通りの式（１）で表される少なくとも１種の化合物がポリマー状基材（ａ）に添加される、該ポリマー状基材（ａ）の難燃加工方法。
【請求項８】
請求項３に記載された通りの式（１’）で表される少なくとも１つの化合物がポリマー状基材（ａ）に添加される該ポリマー状基材（ａ）の難燃加工方法であって、但し、該ポリマー状基材が１種以上のハロゲン化難燃剤を含有しないところの方法。
【請求項９】
式（ＩＩｃ）
Ｒ4Ｒ3Ｒ2Ｃ−Ｎ＝Ｎ−ＣＨＲ’3Ｒ’4  （ＩＩｃ）
式中、Ｒ3及びＲ4はそれらが結合するＣ原子と一緒になって、所望により置換した、飽和した又は部分的に飽和した、請求項１に定義した通りの単−又は多環式環系を形成し；
又は各々のＲ3及びＲ4は独立してアルキル基、アルケニル基、アリール基、アリールアルキル基、シクロアルキル基、シクロアルキルアルキル基、ヘテロシクリル基又はヘテロシクリルアルキル基を表し、基又は基の一部分としての前記シクロアルキル基及びヘテロシクリル基は５ないし１６個の環原子を有する単−又は二環式環であるか；又はＲ3はＨを
表し及びＲ4は上記で定義された通りであり；Ｒ2はＨ又は前記環系において前記Ｃ原子とそれに隣接する環原子間の結合を表し；
及びＣ原子はそれに結合するＨ、Ｒ’3及びＲ’4と一緒になって、Ｒ’5（［Ｚ1−Ｚ2−
Ｒ6−］kＺ1−Ｚ2−Ｒ5−Ｈ）t基を表し、式中、各々のＲ’5及びＲ5は独立してアルキレン基、１つ以上のＯ、Ｎ及び／又はＳにより中断されたアルキレン基、シクロアルキレン基、シクロアルキレンアルキレン基、シクロアルキレンアルキレンシクロアルキレン基、アリーレンアルキレン基、ヘテロシクリレン基、ヘテロシクリレンアルキレンヘテロシクリレン基又はヘテロシクリレンアルキレン基を表し；各々のＲ6は独立してアルキレン基
、１つ以上のＯ、Ｎ及び／又はＳにより中断されたアルキレン基、シクロアルキレン基、シクロアルキレンアルキレン基、シクロアルキレンアルキレンシクロアルキレン基、アリーレンアルキレン基、アリーレンアルキレンアリーレン基、ヘテロシクリレン基、ヘテロシクリレンアルキレン基又はヘテロシクリレンアルキレンヘテロシクリレン基を表し、各々の−Ｚ1−Ｚ2−は−ＮＲ1−ＮＲ1−を表し、ｔは１又は２を表し、及びｋは請求項１に定義された通りであり；ここでＲ3、Ｒ4、Ｒ’3、Ｒ’4、Ｒ’5、Ｒ5及びＲ6について可
変
の基として定義された各々の基又は基の一部分は、−ＯＨ基、−ＮＨ2、−ＣＯＯＨ、ア
ルキル基、アルケニル基、アルキニル基、シクロアルキル基、シクロアルキルアルキル基、アリール基、アリールアルキル基、アルキル−Ｃ（Ｏ）−Ｏ−基、アルケニル−Ｃ（Ｏ）−Ｏ−基及び／又はアルキル−Ｏ−Ｃ（Ｏ）−基の１ないし３個で所望により置換され、ここでシクロアルキル及び／又はアリール部分又はアルケニル基により所望により置換されている。］で表される化合物、；
及びアゾ部分でのオキシド、それらの塩、エステル又はアミドであるが；
但し、前記化合物（ＩＩｃ）において、（ａ）Ｒ5がメチレン基以外を表し、及び（ｂ）
Ｒ5’がトリアジン基以外を表す場合、２つの連続する−Ｚ1−Ｚ2−部分の間でＲ6部分によって形成された橋かけが４つ以上の橋かけ原子によって前記２つの−Ｚ1−Ｚ2−部分を分ける、ところの化合物。